(57)【特許請求の範囲】
【請求項１】
屋内空間に面する壁板、床板、天井板のうちのいずれか少なくとも一つの建材の背面部に発音用振動子が設けられ、該発音用振動子が、該発音用振動子の設けられた前記建材を振動させ、該建材が屋内に向けて発音するようになされていると共に、
前記発音用振動子の設けられていない壁板、床板、天井板のうちのいずれかの建材にオーディオ機器接続部が屋内に面するように設けられ、該オーディオ機器接続部は、建材の背面側において前記発音用振動子と接続され、前記発音用振動子の設けられた建材が、該オーディオ機器接続部に接続したオーディオ機器のスピーカーとして機能するようになされているサウンドハウスの施工方法であって、
屋内空間に面する壁板、床板、天井板のうちのいずれか少なくとも一つの建材の背面部に発音用振動子が設けられたものと、前記発音用振動子の設けられていない壁板、床板、天井板のうちのいずれかの建材にオーディオ機器接続部が屋内に面するよう設けられたものとを製作し、
しかる後、前記発音用振動子とオーディオ機器接続部とを配線で接続し、発音用振動子付き建材とオーディオ機器接続部付き建材とを含む建材を、前記配線を建材の背後に位置させながら建て込んでいくことを特徴とするサウンドハウスの施工方法。
【発明の詳細な説明】
【技術分野】
【０００１】
本発明は、サウンドハウス及びその施工方法に関する。
【背景技術】
【０００２】
屋内にスピーカーを設置して音楽や音声を屋内に流すことは、従来より行われている。
【先行技術文献】
【特許文献】
【０００３】
【特許文献１】特開平１０−１４９１７３号公報
【発明の概要】
【発明が解決しようとする課題】
【０００４】
しかしながら、スピーカーを屋内に設置すると屋内空間を狭くしてしまったり、スピーカーの存在によって屋内の意匠性を損なわせてしまったりすることがある。また、スピーカーを壁面や天井面に取り付ける場合は、壁面や天井面に取付けのための穴明けを行ったり、補強工事を必要としたり、配線を壁裏や天井裏を這わせることが困難で、施工が容易でないという問題もある。
【０００５】
本発明は、上記のような問題点に鑑み、スピーカー機能を備えながら、屋内空間がスピーカーによって狭められたり、スピーカーによって屋内の意匠性が損なわれるのを防ぐことができて、屋内を広くスッキリとしたものにすることができるサウンドハウス、及び、施工を容易にすることができる方法を提供することを課題とする。
【課題を解決するための手段】
【０００６】
上記の課題は、屋内空間に面する壁板、床板、天井板のうちのいずれか少なくとも一つの建材の背面部に発音用振動子が設けられ、該発音用振動子が、該発音用振動子の設けられた前記建材を振動させ、該建材が屋内に向けて発音するようになされていると共に、
前記発音用振動子の設けられていない壁板、床板、天井板のうちのいずれかの建材にオーディオ機器接続部が屋内に面するように設けられ、該オーディオ機器接続部は、建材の背面側において前記発音用振動子と接続され、前記発音用振動子の設けられた建材が、該オーディオ機器接続部に接続したオーディオ機器のスピーカーとして機能するようになされていることを特徴とするサウンドハウスによって解決される（第１発明）。
【０００７】
このサウンドハウスでは、建材が、その背面部に設けられた発音用振動子との組み合わでスピーカーとして機能するように構成されているので、スピーカーを構成する発音用振動子を設置できるスペースを建材の背面側に確保できさえすればよく、そのため、屋内空間がスピーカーによって狭められるのを防ぐことができ、しかも、発音用振動子は建材の背面側に隠れているので、スピーカーによって屋内の意匠性が損なわれることもなく、よって、スピーカー機能を備えながら、屋内を広くスッキリとしたものにすることができる（第１の作用効果）。
【０００８】
加えて、発音用振動子と接続されたオーディオ機器接続部が屋内に面するよう設けられているので、該接続部にオーディオ機器を接続して音を鳴らすことができ、発音用振動子と建材とで構成されるスピーカーの利用を容易にすることができると共に、
オーディオ機器接続部は、建材の背面側において発音用振動子と接続されているので、配線で屋内の意匠性が損なわれることがなく、屋内をスッキリとしたものにすることができる（第２の作用効果）。
【０００９】
なお、「屋内空間に面する壁板、床板、天井板のうちのいずれか少なくとも一つの建材の背面部に発音用振動子が設けられ」の文言は、
イ）壁板のみに発音用振動子が設けられている場合（発音用振動子が設けられている壁板の数は、１つであってもよいし、複数であってもよい）、
ロ）床板のみに発音用振動子が設けられている場合（発音用振動子が設けられている床板の数は、１つであってもよいし、複数であってもよい）、
ハ）天井板のみに発音用振動子が設けられている場合（発音用振動子が設けられている天井板の数は、１つであってもよいし、複数であってもよい）、
ニ）壁板と床板とにそれぞれ発音用振動子が設けられている場合（発音用振動子が設けられている壁板の数、床板の数は、１つであってもよいし、複数であってもよい）、
ホ）床板と天井板とにそれぞれ発音用振動子が設けられている場合（発音用振動子が設けられている床板の数、天井板の数は、１つであってもよいし、複数であってもよい）、
ヘ）天井板と壁板とにそれぞれ発音用振動子が設けられている場合（発音用振動子が設けられている天井板の数、壁板の数は、１つであってもよいし、複数であってもよい）、
ト）壁板と床板と天井板とにそれぞれ発音用振動子が設けられている場合（発音用振動子が設けられている壁板の数、床板の数、天井板の数は、１つであってもよいし、複数であってもよい）
を含んでいる。
【００１０】
また、上記の課題は、屋内空間に面する壁板、床板、天井板のうちのいずれか少なくとも一つの建材の背面部に発音用振動子が設けられ、該発音用振動子が、該発音用振動子の設けられた前記建材を振動させ、該建材が屋内に向けて発音するようになされていることを特徴とするサウンドハウスによって解決され（第２発明）、第１発明における第１の作用効果が奏される。
【００１１】
第１，第２発明において、前記発音用振動子の設けられた建材が壁板及び／又は天井板であり、
床板の背面部に非発音振動子が設けられ、該非発音振動子が、該非発音振動子の設けられた床板の上面を振動させるようになされているのもよい（第３発明）。
【００１２】
この場合は、特に、床板の上面を非発音振動子で振動させることによって、その振動を床板の上にいるヒトに知らせることができ、しかも、そのような通報機能を、屋内を広くスッキリとしたものにしながら実現することができる。
【００１３】
なお、本願は、床板の背面部に非発音振動子が設けられ、該非発音振動子が、該非発音振動子の設けられた床板の上面を振動させるようになされている通報システムの発明（第４発明）を含んでおり、この通報システムにおいて、第１〜第３発明におけるような発音用振動子は任意の構成要素である。
【００１４】
また、本願は、第１発明のサウンドハウスの施工方法であって、
屋内空間に面する壁板、床板、天井板のうちのいずれか少なくとも一つの建材の背面部に発音用振動子が設けられたものと、前記発音用振動子の設けられていない壁板、床板、天井板のうちのいずれかの建材にオーディオ機器接続部が屋内に面するよう設けられたものとを製作し、
しかる後、前記発音用振動子とオーディオ機器接続部とを配線で接続し、発音用振動子付き建材とオーディオ機器接続部付き建材とを含む建材を、前記配線を建材の背後に位置させながら建て込んでいくことを特徴とするサウンドハウスの施工方法を含む（第５発明）。
【００１５】
この施工方法では、建材背面部に発音用振動子を設け、建材にオーディオ機器接続部を設けた後に、建材を建て込んでいくようにしているので、建材背面部に発音用振動子を容易に設けることができると共に、建材にオーディオ機器接続部を容易に設けることができ、また、発音用振動子とオーディオ機器接続部との配線接続を容易に行うことができると共に、該配線を建材の背面側に容易に配置することができる。
【００１６】
また、本願は、第２発明のサウンドハウスの施工方法であって、屋内空間に面する壁板、床板、天井板のうちのいずれか少なくとも一つの建材の背面部に発音用振動子が設けられたものを製作し、
しかる後、該発音用振動子付き建材を建て込んでいくことを特徴とするサウンドハウスの施工方法を含む（第６発明）。
【００１７】
この施工方法では、建材背面部に発音用振動子を設けた後に、建材を建物における取付け下地に取り付けるようにしているので、建材背面部に発音用振動子を容易に設けることができる。
【発明の効果】
【００１８】
本発明は、以上のとおりのものであるから、スピーカー機能を備えながら、屋内空間がスピーカーによって狭められたり、スピーカーによって屋内の意匠性が損なわれるのを防ぐことができて、屋内を広くスッキリとしたものにすることができ、施工も容易にすることができる。
【図面の簡単な説明】
【００１９】
【図１】図（イ）は実施形態のサウンドハウスの一作動状態を示す透視図、図（ロ）は実施形態のサウンドハウスの他の作動状態を示す透視図である。
【図２】図（イ）は、壁板の背面部に発音用振動子が設けられた壁パネルの正面図、図（ロ）は壁板にオーディオ機器接続部が設けられた壁パネルの正面図、図（ハ）は発音用振動子、オーディオ機器接続部、パネルフレーム、壁板を分離状態にした正面図である。
【発明を実施するための形態】
【００２０】
次に、本発明の実施形態を図面に基づいて説明する。
【００２１】
図１に示す実施形態のサウンドハウスにおいて、１は屋内空間であり、壁面２と床面３と天井面４とが屋内空間１に面するように備えられている。
【００２２】
壁面２は、図２に示すように、建材としての石こうボード等からなる壁板５の背面側に木製等のパネルフレーム６が設けられた壁パネル７を建物における取付けの下地に取り付けることで形成され、
床面３は、図示しないが、建材としての床板の背面側に根太が取り付けられた床パネルを建物における取付けの下地、例えば大引や床梁に取り付けることで形成され、
天井面４は、図示しないが、建材としての天井板の背面側にフレームが取り付けられた天井パネルを建物における取付けの下地に取り付けることで形成されている。
【００２３】
本実施形態では、図２（イ）に示すように、壁面２を構成する壁パネル７の壁板５の背面部に発音用振動子８が設けられ、該発音用振動子から配線９が壁板５の背面側を延ばされ、該発音用振動子８が壁板５を振動させ、該壁板５が屋内空間１に向けて発音するようになされている。発音用振動子８が設けられた壁パネル７は、図１（イ）に示すように、屋内空間１を挟んで対向する壁面部２ａ，２ｂのそれぞれに設けられ、これら対向壁面部２ａ，２ｂから屋内空間１に向けて発音がなされるようになっている。
【００２４】
また、図２（ロ）に示すように、壁面２を構成する他の壁パネル７の壁板５には、オーディオ機器接続部１０が屋内空間１に面するように設けられ、該オーディオ機器接続部１０からの配線１１が壁板５の背面側を延ばされている。オーディオ機器接続部１０が設けられた壁パネル７は、図１（イ）に示すように、奥側の壁面部２ｃに設けられている。該オーディオ機器接続部１０は、図示しないが、その配線１１が発音用振動子８の配線９と壁板５の背面側において接続され、図１（イ）に示すように、オーディオ機器接続部１０にオーディオ機器１２を接続し、該オーディオ機器１２を駆動すると、対向壁面部２ａ，２ｂがスピーカーとなって、屋内空間１に音が発せられるようになされている。
【００２５】
施工は、壁板５の背面部に発音用振動子８の設けられた図２（イ）に示すような壁パネル７と、発音用振動子８は設けられていないがオーディオ機器接続部１０の設けられた図２（ロ）に示すような壁パネル７と、必要に応じていずれも設けられていない壁パネル７とを工場などで予め製作し、しかる後、建築の現場で、発音用振動子８からの配線９とオーディオ機器接続部１０からの配線１１とを接続し、発音用振動子付き壁パネル７と、オーディオ機器接続部１０付き壁パネル７と、必要に応じていずれも設けられていない壁パネルとを、配線９，１１を壁パネル７の壁板５の背後に位置させながら建て込んでいくというようにして行う。
【００２６】
また、本実施形態では、床面３を構成する床板の背面部に図示しない非発音振動子が設けられており、該非発音振動子が、該非発音振動子の設けられた床板の上面である床面３を振動させるようになされており、非発音振動子は、例えば地震等の緊急通報システムと接続され、所定の緊急時に、図１（ロ）に示すように床面３を振動させ、床面３と接触しているヒトに緊急事態の発生を知らせることができるようになされている。
【００２７】
上記のサウンドハウスでは、屋内空間１に面する壁面２を構成する壁板５が、その背面部に設けられた発音用振動子８との組み合わでスピーカーとして機能するように構成されているので、スピーカーを構成する発音用振動子８を設置できるスペースを壁板５の背面側に確保できさえすればよく、そのため、屋内空間１がスピーカーによって狭められるのを防ぐことができ、しかも、発音用振動子８は壁板の背面側に隠れているので、スピーカーによって屋内１の意匠性が損なわれることもなく、よって、スピーカー機能を備えながら、屋内１を広くスッキリとしたものにすることができる。
【００２８】
加えて、発音用振動子８と接続されたオーディオ機器接続部１０が屋内空間１に面するよう設けられているので、該接続部１０にオーディオ機器１２を接続して音を鳴らすことができて、発音用振動子８と壁板５とで構成されるスピーカーの利用を容易にすることができるし、
また、オーディオ機器接続部１０は、壁板５の背面側において発音用振動子８と接続されているので、配線９，１１で屋内１の意匠性が損なわれることがなく、屋内１をスッキリとしたものにすることができる。
【００２９】
更に、施工は、壁板５の背面部に発音用振動子８を取り付けると共に、他の壁板５にオーディオ機器接続部１０を設けた後に、壁パネル７を建て込んでいくようにしているので、壁板５の背面部に発音用振動子８を容易に取り付けることができると共に、壁板にオーディオ機器接続部１０を容易に取り付けることができ、また、発音用振動子８とオーディオ機器接続部１０との配線接続を容易に行うことができ、配線９，１１を壁板５の背面側に容易に配置することができる。
【００３０】
また、本実施形態では、所定の緊急時に、床面３が、図示しない非発音振動子で振動するようになされているので、床面３と接触しているヒトが、その振動をからだで感じとることで緊急通報が発せられたことを知ることができ、しかも、そのような緊急通報機能を、屋内１を広くスッキリとしたものにしながら実現することができる。
【００３１】
以上に、本発明の実施形態を示したが、本発明はこれに限られるものではなく、発明思想を逸脱しない範囲で各種の変更が可能である。例えば、上記の実施形態では、発音用振動子８が設けられる壁板５が石こうボードである場合を示したが、壁板５は、発音用振動子８との組合わせでスピーカーを構成することができるような壁板であればよく、種々の壁板が用いられてよいことはいうまでもない。
【００３２】
また、上記の実施形態では、発音用振動子８を壁板５に設けた場合を示したが、天井板の背面部に設けて、天井板との組み合わせでスピーカーを構成するようになされていてもよいし、非発音振動子を省略し、床板の背面部に設けて床板との組み合わせでスピーカーを構成するようにしてもよい。
【００３３】
また、上記の実施形態では、オーディオ機器接続部１０を壁板５に設けた場合を示したが、天井板に設けるようにしてもよいし、床板に設けるようにしてもよいし、また、第１発明では、上記のようなオーディオ機器接続部１０が別室に設けられる構成となっていてもよいし、オーディオ機器接続部１０は任意の構成要素として捉えるべきものであることはいうまでもない。
【符号の説明】
【００３４】
１…屋内，屋内空間
２…壁面
３…床面
４…天井面
５…壁板（建材）
８…発音用振動子
９…配線
１０…オーディオ機器接続部
１１…配線
１２…オーディオ機器
【図１】
0005461914.tif 000002
【図２】
0005461914.tif 000003